(57)【要約】【課題】複数の診断画像にわたって採取位置の情報を参照し、診断に用いる診断画像上において採取位置を把握することが可能な診断画像システムおよび診断用情報処理装置を提供する。【解決手段】この診断画像システム１では、採取位置表示画面Ｍには、解析情報ＡＮと、複数のＸ線画像Ｇのうちの指定された指定Ｘ線画像ＤＧと、複数のＸ線画像Ｇのそれぞれに対応する複数のサムネイル画像ＴＨとが表示されている。【選択図】図５
2019063409.tif 000002
【特許請求の範囲】
【請求項１】
複数の検体試料が採取される被検体の複数の診断画像を撮影する放射線撮影装置と、
前記複数の診断画像と、前記複数の検体試料のそれぞれに対応する複数の採取位置の情報を含む試料データとが表示された採取位置表示画面を生成する表示画面生成装置と、
前記採取位置表示画面の情報を取得するとともに、取得した前記採取位置表示画面を表示する表示部を含む診断用情報処理装置とを備え、
前記採取位置表示画面には、前記試料データと、前記複数の診断画像のうちの指定された指定診断画像と、前記複数の診断画像のそれぞれに対応する複数のサムネイル画像とが表示されている、診断画像システム。
【請求項２】
前記採取位置表示画面には、前記試料データと、前記指定診断画像と、前記複数のサムネイル画像とに、前記複数の採取位置のそれぞれが特定可能な共通の識別用目印が表示されている、請求項１に記載の診断画像システム。
【請求項３】
前記診断用情報処理装置は、前記試料データ、前記指定診断画像および前記複数のサムネイル画像のそれぞれに、前記複数の採取位置のそれぞれが特定可能な前記共通の識別用目印としての数字または記号が表示されるように構成されている、請求項２に記載の診断画像システム。
【請求項４】
前記複数の検体試料のそれぞれに対応する複数の分析結果を生成する検体分析装置をさらに備え、
前記表示画面生成装置が前記検体分析装置から前記複数の分析結果を取得することにより、前記採取位置表示画面には、前記複数の分析結果をさらに含む前記試料データが表示されている、請求項１〜３のいずれか１項に記載の診断画像システム。
【請求項５】
前記表示画面生成装置からの前記採取位置表示画面の情報を保存するサーバをさらに備え、
前記診断用情報処理装置は、前記サーバから取得した前記採取位置表示画面の情報に基づいて、前記表示部に前記採取位置表示画面を表示するように構成されている、請求項１〜４のいずれか１項に記載の診断画像システム。
【請求項６】
前記放射線撮影装置、前記表示画面生成装置、前記診断用情報処理装置、および、前記検体分析装置は、ネットワークにより通信可能に接続されている、請求項４に記載の診断画像システム。
【請求項７】
前記表示画面生成装置は、前記複数の診断画像により特定された前記複数の採取位置のそれぞれが、前記複数の診断画像のうちの対応する診断画像および前記複数のサムネイル画像のうちの対応するサムネイル画像に対してユーザーにより指定されることによって前記採取位置表示画面が生成されるように構成されている、請求項１〜６のいずれか１項に記載の診断画像システム。
【請求項８】
前記診断用情報処理装置は、前記試料データに含まれる前記複数の採取位置の情報のいずれかが指定された場合に、前記複数の採取位置のうち指定された採取位置の情報に対応する前記指定診断画像を前記表示部に表示するように構成されている、請求項１〜７のいずれか１項に記載の診断画像システム。
【請求項９】
前記診断用情報処理装置は、前記複数のサムネイル画像のうちのいずれかが指定された場合に、前記複数のサムネイル画像のうち指定されたサムネイル画像に対応する前記指定診断画像を前記表示部に表示するように構成されている、請求項１〜８のいずれか１項に記載の診断画像システム。
【請求項１０】
複数の診断画像と、複数の検体試料のそれぞれに対応する複数の採取位置の情報を含む試料データとが表示された採取位置表示画面の情報を取得するとともに、取得した前記採取位置表示画面を表示する表示部を備え、
前記採取位置表示画面には、前記試料データと、前記複数の診断画像のうちの指定された指定診断画像と、前記複数の診断画像のそれぞれに対応する複数のサムネイル画像とが表示されている、診断用情報処理装置。
【発明の詳細な説明】
【技術分野】
【０００１】
本発明は、診断画像システムおよび診断用情報処理装置に関し、特に、表示部を備える診断画像システムおよび診断用情報処理装置に関する。
【背景技術】
【０００２】
従来、被検体の検体試料を採取することにより、体内・臓器内における腫瘍などにより引き起こされる疾患の診断を行うことが知られている（たとえば、非特許文献１参照）。
【０００３】
非特許文献１には、原発性アルドステロン症の診断のため、放射線画像診断装置による被検体のＸ線透視画像をリアルタイムで確認しながら、カテーテルを採取位置まで挿入することにより、副腎の様々な部位の静脈から血液サンプリングを行うことが開示されている。
【０００４】
そして、副腎の様々な部位の静脈から血液サンプリング（副腎静脈サンプリング）によって採取された各位置の血液（検体試料）を分析し、分析結果としてのコルチゾール濃度などに基づいて確定診断が行われる。この場合、血液検体の分析結果と採取位置との対応関係に間違いがないように厳重に管理する必要がある。ここで、非特許文献１には、カルテに副腎静脈をスケッチし、採取位置を記入しておくことが開示されている。
【０００５】
また、従来、表示部を備える診断画像システムおよび診断用情報処理装置が知られている（たとえば、特許文献１参照）。特許文献１には、Ｘ線診断装置によって造影血管像を取得し表示することが開示されている。ここで、採取位置情報(上枝、下枝等)を持つサンプルリストは、通常Ｘ線診断装置とは別の部屋に設置された分析装置によって生成および表示されている。
【先行技術文献】
【非特許文献】
【０００６】
【非特許文献１】牧田幸三、「原発性アルドステロン症における副腎静脈採血−副腎静脈サンプリング手技を成功させるためのコツ−」、日本インターベンショナルラジオロジー学会雑誌、２０１３年、Ｖｏｌ．２８、Ｎｏ．２、ｐ．２０４−２１０
【特許文献】
【０００７】
【特許文献１】特開２０１４−１２１３３号公報
【発明の概要】
【発明が解決しようとする課題】
【０００８】
ここで、非特許文献１に開示されている方法では、カルテに副腎静脈のスケッチし、採取位置を記入しておく必要があるので、医師や作業者の負担となるという不都合がある。また、特許文献１に開示されているシステムでは、Ｘ線診断装置により取得した造影血管像に基づくサンプルリストは分析装置において表示されるので、サンプルリストの持つ採取位置情報を参照しつつ、Ｘ線診断装置で造影血管像上の採取位置を把握することは極めて困難であるという不都合がある。
【０００９】
さらに、副腎静脈は多数に枝分かれしており、一度の造影で副腎静脈全ての造影血管像を取得することは容易ではない。すなわち、通常、部分造影した複数の造影血管像を取得するが、部分造影した複数の造影血管像にわたって、サンプルリストの持つ採取位置情報を参照する必要があるので、診断に用いる造影血管像上の採取位置を把握することは困難であるという不都合がある。
【００１０】
この発明は、上記のような課題を解決するためになされたものであり、この発明の１つの目的は、複数の診断画像にわたって採取位置の情報を参照し、診断に用いる診断画像上において採取位置を把握することが可能な診断画像システムおよび診断用情報処理装置を提供することである。
【課題を解決するための手段】
【００１１】
上記目的を達成するために、この発明の第１の局面における診断画像システムは、複数の検体試料が採取される被検体の複数の診断画像を撮影する放射線撮影装置と、複数の診断画像と、複数の検体試料のそれぞれに対応する複数の採取位置の情報を含む試料データとが表示された採取位置表示画面を生成する表示画面生成装置と、採取位置表示画面の情報を取得するとともに、取得した採取位置表示画面を表示する表示部を含む診断用情報処理装置とを備え、採取位置表示画面には、試料データと、複数の診断画像のうちの指定された指定診断画像と、複数の診断画像のそれぞれに対応する複数のサムネイル画像とが表示されている。
【００１２】
この発明の第１の局面における診断画像システムでは、上記のように、指定診断画像と、複数の診断画像のそれぞれに対応する複数のサムネイル画像と、複数の採取位置の情報を含む試料データとがまとめて採取位置表示画面上に表示される。これにより、複数の採取位置が複数の診断画像によって別々に把握される場合でも、複数の診断画像に表示された複数の採取位置（診断上必要な位置）を医師などが明確に把握することができる。すなわち、表示された試料データの採取位置を複数のサムネイル画像にわたって参照することができ、指定した指定診断画像上でそれらの採取位置の関係を把握することができる。その結果、複数の診断画像にわたって採取位置の情報を参照し、診断に用いる診断画像上において採取位置を把握することができる。
【００１３】
上記第１の局面による診断画像システムにおいて、好ましくは、採取位置表示画面には、試料データと、指定診断画像と、複数のサムネイル画像とに、複数の採取位置のそれぞれが特定可能な共通の識別用目印が表示されている。このように構成すれば、採取された検体試料に関し、表示部に表示された情報により、診断上必要な位置に関する情報（採取位置および試料データ）を医師などが十分に得ることができる。
【００１４】
この場合、好ましくは、診断用情報処理装置は、試料データ、指定診断画像および複数のサムネイル画像のそれぞれに、複数の採取位置のそれぞれが特定可能な共通の識別用目印としての数字または記号が表示されるように構成されている。このように構成すれば、識別用目印を一般的な目印である数字または記号で表示するので、検体試料が採取された採取位置を医師などが容易に判別することができる。
【００１５】
上記第１の局面による診断画像システムにおいて、好ましくは、複数の検体試料のそれぞれに対応する複数の分析結果を生成する検体分析装置をさらに備え、表示画面生成装置が検体分析装置から複数の分析結果を取得することにより、採取位置表示画面には、複数の分析結果をさらに含む試料データが表示されている。このように構成すれば、分析結果が表示されることにより、医師などは採取位置において採取された検体試料の状態が正常か否かを容易に把握することができる。
【００１６】
上記第１の局面による診断画像システムにおいて、好ましくは、表示画面生成装置からの採取位置表示画面の情報を保存するサーバをさらに備え、診断用情報処理装置は、サーバから取得した採取位置表示画面の情報に基づいて、表示部に採取位置表示画面を表示するように構成されている。このように構成すれば、表示画面生成装置において生成した採取位置表示画面をサーバに保存しておくことができるので、診断用情報処理装置において、医師などは現在の採取位置表示画面だけでなく過去の採取位置表示画面も参照することができる。
【００１７】
上記検体分析装置を備える診断画像システムにおいて、好ましくは、放射線撮影装置、表示画面生成装置、診断用情報処理装置、および、検体分析装置は、ネットワークにより通信可能に接続されている。このように構成すれば、診断用情報処理装置に表示される採取位置表示画面に必要な情報をネットワークを介して容易に集めることができるので、診断用情報処理装置における採取位置表示画面の生成を容易に行なうことができる。
【００１８】
上記第１の局面による診断画像システムにおいて、好ましくは、表示画面生成装置は、複数の診断画像により特定された複数の採取位置のそれぞれが、複数の診断画像のうちの対応する診断画像および複数のサムネイル画像のうちの対応するサムネイル画像に対してユーザーにより指定されることによって採取位置表示画面が生成されるように構成されている。このように構成すれば、ユーザーが複数の診断画像および複数のサムネイル画像を確認した上で、ユーザーが対応する診断画像および対応するサムネイル画像に複数の採取位置のそれぞれを指定することができる。これにより、複数の採取位置のそれぞれが精度よく特定された診断画像および複数のサムネイル画像を医師などに提供することができる。
【００１９】
上記第１の局面による診断画像システムにおいて、好ましくは、診断用情報処理装置は、試料データに含まれる複数の採取位置の情報のいずれかが指定された場合に、複数の採取位置のうち指定された採取位置の情報に対応する指定診断画像を表示部に表示するように構成されている。このように構成すれば、試料データを参照した上で、医師などは、採取位置の情報をより詳しく知りたいと考えた指定診断画像を即座に参照することができるので、医師などは必要とする採取位置の情報を即座に取得することができる。
【００２０】
上記第１の局面による診断画像システムにおいて、好ましくは、診断用情報処理装置は、複数のサムネイル画像のうちのいずれかが指定された場合に、複数のサムネイル画像のうち指定されたサムネイル画像に対応する指定診断画像を表示部に表示するように構成されている。このように構成すれば、複数のサムネイル画像を参照した上で、医師などが採取位置の情報をより詳しく知りたいと考えたサムネイル画像に対応する指定診断画像を即座に取得することができる。これにより、指定診断画像は、サムネイル画像よりも拡大され、かつ、採取位置が識別用目印により示されているので、医師などは必要とする採取位置の情報をより詳細に取得することができる。
【００２１】
この発明の第２の局面における診断用情報処理装置は、複数の診断画像と、複数の検体試料のそれぞれに対応する複数の採取位置の情報を含む試料データとが表示された採取位置表示画面の情報を取得するとともに、取得した採取位置表示画面を表示する表示部を備え、採取位置表示画面には、試料データと、複数の診断画像のうちの指定された指定診断画像と、複数の診断画像のそれぞれに対応する複数のサムネイル画像とが表示されている。
【００２２】
この発明の第２の局面における診断用情報処理装置では、指定診断画像と、複数の診断画像のそれぞれに対応する複数のサムネイル画像と、複数の採取位置の情報を含む試料データとがまとめて採取位置表示画面上に表示される。これにより、複数の採取位置が複数の診断画像によって別々に把握される場合でも、複数の診断画像に表示された複数の採取位置（診断上必要な位置）を医師などが明確に把握することができる。すなわち、表示された試料データの採取位置を複数のサムネイル画像にわたって参照することができ、指定した指定診断画像上でそれらの採取位置の関係を把握することができる。その結果、複数の診断画像にわたって採取位置の情報を参照し、診断に用いる診断画像上において採取位置を把握することができる。
【発明の効果】
【００２３】
本発明によれば、上記のように、複数の診断画像にわたって採取位置の情報を参照し、診断に用いる診断画像上において採取位置を把握することができる。
【図面の簡単な説明】
【００２４】
【図１】本発明の一実施形態による診断画像システムの全体構成を示したブロック図である。
【図２】本発明の一実施形態による診断画像システムのＸ線撮影装置の構成例を示すためのブロック図である。
【図３】本発明の一実施形態による診断画像システムの検体分析装置の構成例を示すためのブロック図である。
【図４】本発明の一実施形態による診断画像システムにおいて、Ｘ線画像と分析結果とが識別情報により関連付けられていることを示す概念図である。
【図５】本発明の一実施形態による診断画像システムにおいて、診断用情報処理装置の表示部に表示される採取位置表示画面を示した模式図である。
【図６】本発明の一実施形態による診断画像システムにおける採取位置表示画面の生成処理フローのフローチャートである。
【図７】本発明の一実施形態の第１参考例による診断画像システムにおいて、診断用情報処理装置の表示部に表示される採取位置表示画面を示した模式図である。
【図８】本発明の一実施形態の第２参考例による診断画像システムにおいて、診断用情報処理装置の表示部に表示される採取位置表示画面を示した模式図である。
【図９】本発明の一実施形態の第３参考例による診断画像システムにおいて、診断用情報処理装置の表示部に表示される採取位置表示画面を示した模式図である。
【発明を実施するための形態】
【００２５】
以下、本発明を具体化した実施形態を図面に基づいて説明する。
【００２６】
図１〜図６を参照して、本実施形態による診断画像システム１の構成について説明する。診断画像システム１は、被検体Ｔの検体試料を採取することによって局所診断を行なうように構成されている。具体的には、診断画像システム１では、検体試料の採取のためのＸ線画像撮影と、採取された検体試料の分析とが行なわれている。
【００２７】
（診断画像システム）
診断画像システム１を用いた局所診断の例としては、原発性アルドステロン症の診断のための副腎静脈サンプリングや、インスリノーマの診断のための選択的動脈内カルシウム注入試験、内視鏡を用いて内臓の組織片を採取して行う内視鏡下生検などがある。
【００２８】
図１に示すように、診断画像システム１は、被検体ＴのＸ線画像Ｇを撮影するＸ線撮影装置２と、被検体Ｔから採取される検体試料の分析を行う検体分析装置３とを備えている。ここで、Ｘ線撮影装置２および検体分析装置３のそれぞれは、検査室Ｒ１および分析室Ｒ２に別々に設置されている。また、診断画像システム１は、Ｘ線画像Ｇおよび検体試料の採取位置Ｃに基づいて採取位置表示画面Ｍを作成するワークステーション４と、採取位置表示画面Ｍが格納されるデータベースサーバ５と、データベースサーバ５から取得された採取位置表示画面Ｍを閲覧する診断用情報処理装置６とを備えている。なお、Ｘ線撮影装置２、ワークステーション４およびデータベースサーバ５は、それぞれ、特許請求の範囲の「放射線撮影装置」、「表示画面生成装置」および「サーバ」の一例である。
【００２９】
診断画像システム１は、被検体Ｔ内の検体試料を採取するために、Ｘ線撮影装置２によって被検体Ｔの外部からＸ線画像Ｇを撮影する。検体試料を採取する際、検体採取デバイス１０が被検体Ｔの内部に導入され、撮影されたＸ線画像Ｇを手がかりに、検体採取を担当する医師が検体採取デバイス１０を検体試料の採取位置Ｃ（図５参照）まで進入させ、検体試料を採取する。
【００３０】
副腎静脈サンプリングでは、検体採取デバイス１０にカテーテルが用いられる。
【００３１】
採取された検体試料は、検体採取デバイス１０に取り込まれ、検体試料を収容するための検体容器Ｂに別途収容された後、検体容器Ｂが検体分析装置３に移送される。検体分析装置３は、医師などの操作者が検体容器Ｂを検体分析装置３にセットすることにより、検体分析装置３が検体試料を受け付ける。検体容器Ｂは、たとえば採血管である。検体分析装置３は、取得した検体試料の分析を行う。
【００３２】
ここで、検体容器Ｂには、検体試料を特定するための試料特定情報が付されている。試料特定情報は、採取された検体試料を収容するための検体容器Ｂに付される識別情報Ｕである。識別情報Ｕは、たとえば検体容器Ｂにバーコードや２次元コードの形式で付される検体ＩＤである。識別情報Ｕは、たとえばバーコードが印字されたラベルの形態で用意され、検体試料が採取される際に、操作者によって検体容器Ｂに貼付される。
【００３３】
（Ｘ線撮影装置）
図２に示すように、Ｘ線撮影装置２は、被検体Ｔの外側から放射線を照射することによって、被検体Ｔ内を画像化するためのＸ線画像Ｇを撮影する装置である。
【００３４】
Ｘ線撮影装置２は、被検体Ｔに放射線（Ｘ線）を照射する照射部２１と、被検体Ｔを透過した放射線を検出する検出部２２とを備えている。照射部２１と検出部２２とは、それぞれ、被検体Ｔが載置される天板２３を挟んで対向するように配置されている。照射部２１および検出部２２は、移動機構２４に移動可能に支持されている。天板２３は、天板駆動部２５により水平方向に移動可能である。被検体Ｔの関心領域を撮影できるように、移動機構２４および天板駆動部２５を介して照射部２１、検出部２２および天板２３が移動される。関心領域は、被検体Ｔのうちで、検体試料の採取位置Ｃを含む領域である。Ｘ線撮影装置２は、移動機構２４および天板駆動部２５を制御する制御部２６を備えている。
【００３５】
照射部２１は、放射線源２１ａを含んでいる。放射線源２１ａは、たとえば、所定の高電圧が印加されることによりＸ線を発生させるＸ線管である。照射部２１は、制御部２６に接続されている。制御部２６は、予め設定された撮影条件に従って照射部２１を制御し、放射線源２１ａからＸ線を発生させる。
【００３６】
検出部２２は、照射部２１から照射され、被検体Ｔを透過したＸ線を検出し、検出したＸ線強度に応じた検出信号を出力する。検出部２２は、たとえば、ＦＰＤ（Flat Panel Detector）により構成されている。また、Ｘ線撮影装置２は、検出部２２からＸ線検出信号を取得して、検出部２２の検出信号に基づきＸ線画像Ｇを生成する画像処理部２７を備えている。検出部２２は、所定の解像度の検出信号を画像処理部２７に出力する。
【００３７】
画像処理部２７は、たとえば、ＣＰＵ（Central Processing Unit、図示せず）などのプロセッサと、ＲＯＭ（Read Only Memory、図示せず）およびＲＡＭ（Random Access Memory、図示せず）などの記憶部（図示せず）とを含んで構成されるコンピュータであり、画像処理プログラムをプロセッサに実行させることにより画像処理部２７として機能する。画像処理部２７は、Ｘ線画像Ｇを生成するほか、Ｘ線画像Ｇの視認性を向上するための補正処理や、複数のＸ線画像Ｇを合成する合成処理などを行う機能を有している。また、画像処理部２７は、生成したＸ線画像Ｇのサムネイル画像ＴＨ（図５参照）を生成する処理を行なう。
【００３８】
制御部２６は、ＣＰＵ（図示せず）、ＲＯＭ（図示せず）およびＲＡＭ（図示せず）などを含んで構成されたコンピュータである。制御部２６は、ＣＰＵが所定の制御プログラムを実行することにより、Ｘ線撮影装置２の各部を制御する制御部２６として機能する。制御部２６は、照射部２１および画像処理部２７の制御や、移動機構２４および天板駆動部２５の駆動制御を行う。
【００３９】
Ｘ線撮影装置２は、表示部２６ａ、操作部２６ｂおよび記憶部２６ｃを備える。また、Ｘ線撮影装置２は、ネットワークＮと接続するための通信部２６ｄを備える。表示部２６ａは、たとえば液晶ディスプレイなどのモニタである。操作部２６ｂは、たとえばキーボードおよびマウス、タッチパネルまたは他のコントローラーなどを含んで構成される。記憶部２６ｃは、たとえばハードディスクドライブなどの記憶装置により構成される。制御部２６は、画像処理部２７により生成された画像を表示部２６ａに表示させる制御を行うように構成されている。また、制御部２６は、操作部２６ｂを介した入力操作を受け付けるように構成されている。記憶部２６ｃは、Ｘ線画像Ｇのデータ、識別情報Ｕのデータおよびサムネイル画像ＴＨのデータなどを記憶するように構成されている。
【００４０】
Ｘ線撮影装置２は、図１に示すように、採取された検体試料を収容するための検体容器Ｂに付される識別情報Ｕを読み取るための読取部２８を備える。読取部２８は、たとえば識別情報Ｕに応じたバーコードリーダー（２次元コードリーダー）であり、それぞれ検体容器Ｂに付される識別情報Ｕを読み取ることが可能である。制御部２６は、検体試料が採取される際に、読取部２８により読み出された識別情報ＵをＸ線画像Ｇに付与するように構成されている。
【００４１】
（検体分析装置）
検体分析装置３は、被検体Ｔから採取された検体試料を取得して、診断に必要な成分の測定や細胞の検出などを行う装置である。検体分析装置３は、たとえば血中成分を分析するための血液分析装置や、血球分類装置、化学分析装置などであるが、検体分析装置３による測定または検出の対象物は、診断の目的となる疾患の種類によって異なるため、疾患の種類に応じて選択される。
【００４２】
検体分析装置３の一例として、図３に示すように、液体クロマトグラフ質量分析計からなる検体分析装置３を示す。検体分析装置３は、検体試料に含まれる目的成分の分離を行う液体クロマトグラフ部３１（以下、ＬＣ部３１という）と、分離された目的成分をイオン化し、目的イオンを質量数に応じて分離検出する質量分析部３２（以下、ＭＳ部３２という）とを備える。
【００４３】
ＬＣ部３１は、搬送液を収容する搬送液リザーバ（図示せず）と、搬送液を検体試料とともに送り出す送液ポンプ（図示せず）と、検体試料を導入する試料導入部（図示せず）と、搬送液中の検体試料を成分毎に分離する分離カラム（図示せず）とを主として含む。
【００４４】
ＭＳ部３２は、ＬＣ部３１の後段に設けられ、ＬＣ部３１で分離された試料成分をイオン化するイオン化部（図示せず）と、生成されたイオンを質量分離して特定イオンを通過するための質量分離器（図示せず）と、質量分離器を通過したイオンを検出するイオン検出器（図示せず）とを主として含む。ＭＳ部３２により、ＬＣ部３１から順次溶出する試料成分について、質量毎の検出信号が出力される。
【００４５】
検体分析装置３は、ＭＳ部３２の検出信号に基づいて成分分析を行うデータ処理部３３を備える。データ処理部３３は、質量毎の検出信号からマススペクトルを作成し、既知の検量線と対比することにより、検体試料中の所定成分（コルチゾールやアルドステロンなど）の定量分析を行う。
【００４６】
検体分析装置３は、図１に示すように、表示部３３ａ、操作部３３ｂ、記憶部３３ｃおよび通信部３３ｄを備える。検体分析装置３は、さらに読取部３４を備える。データ処理部３３は、検体試料が分析される際に、読取部３４により読み出された識別情報Ｕを分析結果ＲＡに付与するように構成されている。これにより、図４に示すように、分析結果ＲＡとＸ線画像Ｇとが、共通の識別情報Ｕを介して相互に対応付けられる。
【００４７】
（ワークステーション）
ワークステーション４は、図１に示すように、採取位置表示画面Ｍを生成するように構成されている。具体的には、ワークステーション４は、制御部４１、表示部４２、操作部４３および記憶部４４を備える。また、ワークステーション４は、ネットワークＮと接続するための通信部４５を備える。
【００４８】
制御部４１は、Ｘ線撮影装置２から取得されたＸ線画像Ｇを表示部４２に表示させるように構成されている。また、制御部４１は、検体分析装置３から取得された分析結果ＲＡを表示部４２に表示させるように構成されている。また、制御部４１は、操作部４３を介した入力操作を受け付けるように構成されている。記憶部４４は、Ｘ線画像Ｇのデータ、識別情報Ｕのデータ、検体試料の分析結果ＲＡのデータなどを記憶するように構成されている。通信部４５は、ネットワークＮを介してＸ線撮影装置２、検体分析装置３およびデータベースサーバ５と通信可能に接続されている。
【００４９】
また、ワークステーション４は、読取部４６を備える。制御部４１は、読取部４６により識別情報Ｕを読み取ったことに基づいて、識別情報Ｕに対応付けられたＸ線画像ＧをＸ線撮影装置２から取得するとともに、識別情報Ｕに対応付けられた分析結果ＲＡを検体分析装置３から取得するように構成されている。
【００５０】
具体的には、制御部４１は、通信部４５によりネットワークＮを介して、Ｘ線撮影装置２から複数のＸ線画像Ｇのデータと、複数のＸ線画像Ｇのデータのそれぞれに対応する識別情報Ｕとを取得する。また、制御部４１は、通信部４５によりネットワークＮを介して検体分析装置３から複数の分析結果ＲＡのデータと、複数の分析結果ＲＡのデータのそれぞれに対応する識別情報Ｕとを取得する。
【００５１】
また、制御部４１は、Ｘ線撮影装置２から複数のＸ線画像Ｇのそれぞれに対応する複数のサムネイル画像ＴＨを取得するように構成されている。具体的には、制御部４１は、通信部４５によりネットワークＮを介して、Ｘ線撮影装置２から複数のサムネイル画像ＴＨのデータおよび複数のサムネイル画像ＴＨ（図５参照）のデータのそれぞれに対応する識別情報Ｕを取得している。制御部４１は、複数の採取位置Ｃを取得するように構成されている。具体的には、制御部４１は、取得された複数のＸ線画像Ｇを用いてユーザーにより採取位置Ｃが指定されたことに基づいて、複数の検体試料のそれぞれに対応する複数の採取位置Ｃのデータを取得している。
【００５２】
そして、ワークステーション４は、Ｘ線画像Ｇのデータ、識別情報Ｕのデータ、検体試料の分析結果ＲＡのデータ、複数の採取位置Ｃのデータに基づいて、採取位置表示画面Ｍ（図５参照）を生成するように構成されている。
【００５３】
（データベースサーバ）
データベースサーバ５は、ワークステーション４において生成された採取位置表示画面Ｍ（図５参照）を保存し、診断用情報処理装置６に取得した採取位置表示画面Ｍを提供するように構成されている。具体的には、データベースサーバ５は、ワークステーション４と基本的な構成は同様であり、制御部（図示せず）、表示部（図示せず）、操作部（図示せず）および記憶部（図示せず）を備える。また、データベースサーバ５は、ネットワークＮと接続するための通信部（図示せず）を備える。制御部は、ワークステーション４からの指令に基づいて、通信部によりネットワークＮを介して、ワークステーション４から採取位置表示画面Ｍのデータを取得して保存している。また、制御部は、診断用情報処理装置６からの指令に基づいて、通信部によりネットワークＮを介して、診断用情報処理装置６に記憶部に格納された採取位置表示画面Ｍのデータを提供している。
【００５４】
（診断用情報処理装置）
診断用情報処理装置６は、図１に示すように、制御部６１、表示部６２、操作部６３および記憶部６４を備える。また、診断用情報処理装置６は、ネットワークＮと接続するための通信部６５を備える。
【００５５】
制御部６１は、ワークステーション４により生成された採取位置表示画面Ｍ（図５参照）のデータをデータベースサーバ５から取得するように構成されている。また、制御部６１は、データベースサーバ５から取得された採取位置表示画面Ｍを表示部６２に表示させるように構成されている。また、制御部６１は、操作部６３を介した入力操作を受け付けるように構成されている。記憶部６４は、採取位置表示画面Ｍのデータなどを記憶するように構成されている。通信部６５は、ネットワークＮを介してデータベースサーバ５と通信可能に接続されている。
【００５６】
〈採取位置表示画面〉
血管造影を伴う検査では、関心領域内を部分的に造影したＸ線画像Ｇを用いて、関心領域の全ての血管が網羅されている。そして、関心領域内を部分的に造影したＸ線画像Ｇを用いて、複数の検体試料のそれぞれの採取位置Ｃの特定に必要な血管を突き止めていくことにより、複数の検体試料のそれぞれの採取位置Ｃが特定されている。しかし、複数の検体試料のそれぞれの採取位置Ｃが、複数のＸ線画像Ｇに分かれているため、１つのＸ線画像Ｇに複数の検体試料の全ての採取位置ＣがあるＸ線画像Ｇよりも、複数の採取位置Ｃの情報を整理することが困難になっている。
【００５７】
そこで、本実施形態の診断用情報処理装置６は、試料データ、Ｘ線画像Ｇおよびサムネイル画像ＴＨのそれぞれの採取位置Ｃに共通の数字を付すことにより、採取位置Ｃが特定可能に表示された採取位置表示画面Ｍを表示部６２に表示するように構成されている。以下、図５を参照して、採取位置表示画面Ｍに関しての説明を行なう。
【００５８】
具体的には、採取位置表示画面Ｍは、検査情報Ｅおよび解析情報ＡＮを表示する第１表示領域Ｆ１と、採取位置Ｃが特定可能に表示された複数のサムネイル画像ＴＨを表示する第２表示領域Ｆ２と、採取位置Ｃが特定可能に表示された指定Ｘ線画像ＤＧを表示する第３表示領域Ｆ３とを有している。採取位置表示画面Ｍにおいて、第１表示領域Ｆ１は左上に配置され、第２表示領域Ｆ２は右上に配置され、第３表示領域Ｆ３は下部に配置されている。なお、解析情報ＡＮおよび指定Ｘ線画像ＤＧは、それぞれ、特許請求の範囲の「試料データ」および「指定診断画像」の一例である。
【００５９】
検査情報Ｅは、検査ＩＤ、検査日時、患者名、患者ＩＤ、年齢および性別といった複数の項目を有している。検査ＩＤは、行なわれている検査特有のＩＤが登録される項目である。検査日時は、検査が行なわれた日時が登録される項目である。患者名は、検査を受診した患者の名前が登録される項目である。患者ＩＤは、患者名に対応するＩＤが登録される項目である。年齢および性別は、患者の年齢および性別のそれぞれが登録される項目である。ここで、検査ＩＤ、検査日時、患者名、患者ＩＤ、年齢および性別といった項目は、ワークステーション４において、ユーザーにより手動で登録される。
【００６０】
解析情報ＡＮは、複数の検体試料のそれぞれの採取位置Ｃを含む複数の特定情報を有している。解析情報ＡＮは、採取位置Ｃ、識別情報Ｕ、血管名、分析結果ＲＡおよびステータスといった複数の項目を有している。解析情報ＡＮには、複数の検体試料のうちの任意の検体試料における、採取位置Ｃ、識別情報Ｕ、血管名、分析結果ＲＡおよびステータスといった項目に関する情報が登録される。以下、複数の検体試料のうちの任意の検体試料を、１番の数字が付された第１検体試料７１として、解析情報ＡＮの複数の項目を説明する。なお、第１検体試料７１は、Ｘ線画像Ｇにおいて１番の数字で示された場所から採取された検体試料である。なお、１番の数字は、特許請求の範囲の「識別用目印」の一例である。
【００６１】
採取位置Ｃは、第１検体試料７１の採取位置Ｃの番号（１番）が登録される項目である。識別情報Ｕは、第１検体試料７１が保存されている検体容器Ｂに付された識別情報Ｕが登録される項目である。血管名は、第１検体試料７１の採取位置Ｃの血管名が登録される項目である。分析結果ＲＡは、第１検体試料７１を検体分析装置３において分析したことにより取得された分析結果ＲＡが登録される項目である。ステータスは、採取位置表示画面Ｍ中の項目の登録作業の進行状況が登録される項目である。ここで、識別情報Ｕ、分析結果ＲＡおよびステータスといった項目は、ワークステーション４により、読取部４６により識別情報Ｕを読み取ったことに基づいて取得される分析結果ＲＡに基づいて、自動で登録される。また、採取位置Ｃおよび血管名といった項目は、ワークステーション４において、ユーザーにより手動で登録される。
【００６２】
なお、第１検体試料７１以外の第２〜第６検体試料７２〜７６に関しても同様に解析情報ＡＮ内の項目が登録される。ここで、第２検体試料７２は、Ｘ線画像Ｇにおいて２番の数字で示された場所から採取された検体試料である。第３検体試料７３は、サムネイル画像ＴＨにおいて３番の数字で示された場所から採取された検体試料である。第４検体試料７４は、サムネイル画像ＴＨにおいて４番の数字で示された場所から採取された検体試料である。第５検体試料７５は、サムネイル画像ＴＨにおいて５番の数字で示された場所から採取された検体試料である。第６検体試料７６は、サムネイル画像ＴＨにおいて６番の数字で示された場所から採取された検体試料である。なお、２〜６番の数字は、特許請求の範囲の「識別用目印」の一例である。
【００６３】
このように、解析情報ＡＮでは、採取位置Ｃ、識別情報Ｕ、血管名、分析結果ＲＡおよびステータスといった複数の項目が、第１〜第６検体試料７１〜７６ごとに分けてリスト表示されている。
【００６４】
第２表示領域Ｆ２に表示されるサムネイル画像ＴＨは、図５に示すように、Ｘ線撮影装置２において撮影された複数のＸ線画像Ｇのそれぞれに対応する複数のサムネイル画像ＴＨである。複数のサムネイル画像ＴＨのそれぞれは、左端から順に、第１サムネイル画像８１、第２サムネイル画像８２、第３サムネイル画像８３、第４サムネイル画像８４および第５サムネイル画像８５となっている。ここで、第１サムネイル画像８１、第２サムネイル画像８２、第３サムネイル画像８３および第４サムネイル画像８４は、それぞれ、複数（４枚）のＸ線画像Ｇを縮小した画像である。第５サムネイル画像８５は、レポートの画像となっている。ここで、レポートとは、Ｘ線画像Ｇから読み取れる情報を医師などに伝えるためのデータである。
【００６５】
複数のサムネイル画像ＴＨのそれぞれには、複数の採取位置Ｃのそれぞれが特定可能な数字が表示されている。第１サムネイル画像８１には、第１検体試料７１の採取位置Ｃを示す１番の数字および第２検体試料７２の採取位置Ｃを示す２番の数字が表示されている。第２サムネイル画像８２には、第３検体試料７３の採取位置Ｃを示す３番の数字が表示されている。第３サムネイル画像８３には、第４検体試料７４の採取位置Ｃを示す４番の数字および第５検体試料７５の採取位置Ｃを示す５番の数字が表示されている。第５サムネイル画像８５には、第６検体試料７６の採取位置Ｃを示す６番の数字が表示されている。第５サムネイル画像８５には、検査情報Ｅ、複数のサムネイル画像ＴＨおよび解析情報ＡＮが表示されている。
【００６６】
第３表示領域Ｆ３に表示されるＸ線画像Ｇは、図５に示すように、複数のＸ線画像Ｇのうちの医師などにより指定された指定Ｘ線画像ＤＧである。ここで、医師などに指定されたとは、解析情報ＡＮにおける第１〜第６検体試料７１〜７６のうちのいずれかを指定した場合および第１〜第５サムネイル画像８１〜８５のいずれかを指定した場合である。
【００６７】
すなわち、診断用情報処理装置６は、複数の採取位置Ｃのそれぞれの採取位置Ｃを含む第１〜第６検体試料７１〜７６の解析情報ＡＮのいずれかが医師などにより指定された場合に、その指定された解析情報ＡＮに対応する指定Ｘ線画像ＤＧを表示部６２に表示するように構成されている。また、診断用情報処理装置６は、第１〜第５サムネイル画像８１〜８５のうちのいずれかが医師などに指定された場合に、その指定されたサムネイル画像ＴＨに対応する指定Ｘ線画像ＤＧを表示部６２に表示するように構成されている。
【００６８】
図５では、医師などが第１〜第５サムネイル画像８１〜８５のうち第１サムネイル画像８１を指定した場合が示されている。ここで、第３表示領域Ｆ３に表示されている指定Ｘ線画像ＤＧは、第１〜第５サムネイル画像８１〜８５よりも大きなＸ線画像Ｇである。
【００６９】
このように、第１表示領域Ｆ１の解析情報ＡＮ、第２表示領域Ｆ２の第１〜第５サムネイル画像８１〜８５および第３表示領域Ｆ３の指定Ｘ線画像ＤＧには、第１〜第６検体試料７１〜７６のそれぞれの採取位置Ｃが特定可能な共通の１〜６番の数字が表示されている。
【００７０】
〈採取位置表示画面の生成処理フローのフローチャート〉
図６を参照して、Ｘ線撮影装置２、検体分析装置３およびワークステーション４による、採取位置表示画面Ｍの生成処理フローを説明する。
【００７１】
ステップＳ１において、Ｘ線撮影装置２がＸ線画像Ｇの撮影を開始し、表示部２６ａに動画像形式で被検体Ｔの透視画像を表示する。検体採取デバイス１０が採取位置Ｃに配置されると、ステップＳ２において、制御部２６は、読取部２８を用いて検体容器Ｂの識別情報Ｕを取得する。すなわち、操作者が、読取部２８を使用して識別情報Ｕが印字された任意のラベルを選択して、識別情報Ｕを読み取る。識別情報Ｕが読み取られたラベルは、操作者により、今回の検体試料を収容するための検体容器Ｂに貼付される。
【００７２】
制御部２６は、ステップＳ３において、検体試料が採取される際のＸ線画像Ｇ（静止画像）を取得する。この際、制御部２６は、ステップＳ２で取得した識別情報ＵをＸ線画像Ｇに付与して記録する。
【００７３】
検体試料は、検体容器Ｂ内に収容される。検体試料を収容した検体容器Ｂは、操作者によって、検体分析装置３が設置された分析室Ｒ２まで搬送される。
【００７４】
ステップＳ２およびＳ３は、今回の副腎静脈サンプリングにおいて必要とされる全ての検体試料の採取が完了するまで、繰り返される。
【００７５】
一方、検体分析装置３は、ステップＳ４において、検体試料を受け付ける。すなわち、検体試料を収容した検体容器Ｂが検体分析装置３にセットされる。ステップＳ５において、データ処理部３３は、読取部３４を用いて検体容器Ｂの識別情報Ｕを取得する。すなわち、操作者が、読取部３４を使用して検体容器Ｂに貼付された識別情報Ｕを読み取る。
【００７６】
ステップＳ６において、検体分析装置３は、受け付けた検体試料の分析を行う。ステップＳ７において、データ処理部３３は、分析結果ＲＡを作成する。ステップＳ８において、データ処理部３３は、検体試料の分析結果ＲＡに識別情報Ｕを付与して出力する。
【００７７】
そして、ステップＳ９において、ワークステーション４は、Ｘ線画像Ｇおよび分析結果ＲＡを取得する。すなわち、ワークステーション４は、識別情報Ｕが付与されたＸ線画像ＧをＸ線撮影装置２から取得する。そして、ワークステーション４は、識別情報Ｕが付与された分析結果ＲＡを検体分析装置３から取得する。
【００７８】
ワークステーション４は、検体容器Ｂに付された識別情報Ｕを読取部４６により読み取ることにより、識別情報Ｕ、Ｘ線画像Ｇおよび分析結果ＲＡを取得するように構成されている。そして、ユーザーによる手動および読取部４６の読み取りにより自動で、検査情報Ｅ、解析情報ＡＮおよび採取位置Ｃを採取位置表示画面Ｍに入力する。ステップＳ１０において、検査情報Ｅ、解析情報ＡＮおよび採取位置Ｃの必要な項目が全て入力された採取位置表示画面Ｍをデータベースサーバ５に出力する。これにより、採取位置表示画面Ｍが、診断用情報処理装置６に提供可能なようにデータベースサーバ５に保存される。
【００７９】
（本実施形態の効果）
本実施形態では、以下のような効果を得ることができる。
【００８０】
また、本実施形態では、指定Ｘ線画像ＤＧと、複数のＸ線画像Ｇのそれぞれに対応する第１〜第５サムネイル画像８１〜８５と、複数の採取位置Ｃの情報を含む解析情報ＡＮとがまとめて採取位置表示画面Ｍ上に表示される。これにより、複数の採取位置Ｃが複数のＸ線画像Ｇによって別々に把握される場合でも、複数のＸ線画像Ｇに表示された複数の採取位置Ｃ（診断上必要な位置）を医師などが明確に把握することができる。すなわち、表示された解析情報ＡＮの採取位置Ｃを第１〜第５サムネイル画像８１〜８５にわたって参照することができ、指定した指定Ｘ線画像ＤＧ上でそれらの採取位置Ｃの関係を把握することができる。この結果、複数のＸ線画像Ｇにわたって採取位置Ｃの情報を参照し、診断に用いるＸ線画像Ｇ上において採取位置Ｃを把握することができる。
【００８１】
また、本実施形態では、上記のように、複数の採取位置Ｃのそれぞれが特定可能なように共通の数字により、指定Ｘ線画像ＤＧ、および、第１〜第５サムネイル画像８１〜８５のそれぞれの複数の採取位置Ｃ（診断上必要な位置）を医師などが明確に判別することができる。さらに、複数の採取位置Ｃのそれぞれに対応する解析情報ＡＮも医師などが容易に確認することができる。これらの結果、採取された検体試料に関し、表示部６２に表示された情報により、診断上必要な位置に関する情報（採取位置Ｃおよび解析情報ＡＮ）を医師などが十分に得ることができる。
【００８２】
また、本実施形態では、上記のように、診断用情報処理装置６は、解析情報ＡＮと、指定Ｘ線画像ＤＧおよび第１〜第５サムネイル画像８１〜８５に、複数の採取位置Ｃのそれぞれが特定可能な数字が表示されるように構成されている。これにより、一般的な目印である数字で採取位置Ｃを表示するので、検体試料が採取された採取位置Ｃを医師などが容易に判別することが可能である。
【００８３】
また、本実施形態では、上記のように、診断画像システム１は、複数の検体試料のそれぞれに対応する複数の分析結果ＲＡを生成する検体分析装置３をさらに備えている。そして、ワークステーション４が検体分析装置３から複数の分析結果ＲＡを取得することにより、採取位置表示画面Ｍには、複数の分析結果ＲＡをさらに含む解析情報ＡＮが表示されている。これにより、分析結果ＲＡが表示されることにより、医師などは採取位置Ｃにおいて採取された第１〜第６検体試料７１〜７６の状態が正常か否かを容易に把握することができる。また、解析情報ＡＮに含まれる情報がさらに充実するため、医師などが解析情報ＡＮから取得できる情報量を大きくすることが可能である。
【００８４】
また、本実施形態では、上記のように、診断画像システム１は、ワークステーション４からの採取位置表示画面Ｍの情報を保存するサーバを備えている。診断用情報処理装置６は、データベースサーバ５から取得した採取位置表示画面Ｍの情報に基づいて、表示部６２に採取位置表示画面Ｍを表示するように構成されている。これにより、ワークステーション４において生成した採取位置表示画面Ｍをデータベースサーバ５に保存しておくことができるので、診断用情報処理装置６において、医師などは現在の採取位置表示画面Ｍだけでなく過去の採取位置表示画面Ｍも参照することができる。
【００８５】
また、本実施形態では、上記のように、放射線撮影装置、ワークステーション４、診断用情報処理装置６、および、検体分析装置３は、ネットワークＮを介して通信可能に接続されている。これにより、診断用情報処理装置６に表示される採取位置表示画面Ｍに必要な情報をネットワークＮを介して容易に集めることができるので、診断用情報処理装置６における採取位置表示画面Ｍの生成を容易に行なうことができる。
【００８６】
また、本実施形態では、上記のように、ワークステーション４は、複数のＸ線画像Ｇにより特定された複数の採取位置Ｃのそれぞれが、複数のＸ線画像Ｇおよび第１〜第５サムネイル画像８１〜８５に対して、ユーザーに指定されることにより採取位置表示画面Ｍが生成されるように構成されている。これにより、ユーザーが複数のＸ線画像Ｇおよび第１〜第５サムネイル画像８１〜８５を確認した上で、対応するＸ線画像Ｇおよび対応する第１〜第５サムネイル画像８１〜８５に複数の採取位置Ｃのそれぞれをユーザーにより指定することができる。この結果、複数の採取位置Ｃのそれぞれが精度よく特定されたＸ線画像Ｇおよび第１〜第５サムネイル画像８１〜８５を医師などに提供することができる。また、複数の採取位置Ｃのそれぞれが、ユーザーによりＸ線画像Ｇおよび第１〜第５サムネイル画像８１〜８５のそれぞれに指定されるので、画像処理を用いて複数の採取位置Ｃを指定する場合よりも、ワークステーション４における制御処理の負担を軽減させることが可能である。
【００８７】
また、本実施形態では、上記のように、診断用情報処理装置６は、解析情報ＡＮと、第１〜第５サムネイル画像８１〜８５、および、指定Ｘ線画像ＤＧのすべてが採取位置表示画面Ｍに表示されるように構成されている。これにより、解析情報ＡＮと、第１〜第５サムネイル画像８１〜８５および指定Ｘ線画像ＤＧのいずれか一方とが採取位置表示画面Ｍに表示される場合と異なり、医師などは、指定Ｘ線画像ＤＧを確認しつつ、複数のＸ線画像Ｇのそれぞれに対応する複数のサムネイル画像ＴＨを確認することができる。この結果、医師などは、指定Ｘ線画像ＤＧ上で採取位置Ｃの詳細な位置を確認できるとともに、複数のサムネイル画像ＴＨ上で複数の採取位置Ｃを大まかに確認することができる。
【００８８】
また、本実施形態では、上記のように、診断用情報処理装置６は、解析情報ＡＮに含まれる複数の採取位置Ｃの情報のいずれかが医師などにより指定された場合に、指定Ｘ線画像ＤＧを表示部６２に表示するように構成されている。これにより、解析情報ＡＮを参照した上で、医師などは、採取位置Ｃの情報をより詳しく知りたいと考えた指定Ｘ線画像ＤＧを即座に参照することができるので、医師などは必要とする採取位置Ｃの情報を即座に取得することができる。
【００８９】
また、本実施形態では、上記のように、診断用情報処理装置６は、第１〜第５サムネイル画像８１〜８５のうちのいずれかが医師などにより指定された場合に、第１〜第５サムネイル画像８１〜８５のうち指定されたサムネイル画像ＴＨに対応する指定Ｘ線画像ＤＧを表示部６２に表示するように構成されている。これにより、第１〜第５サムネイル画像８１〜８５を参照した上で、医師などが採取位置Ｃの情報をより詳しく知りたいと考えたサムネイル画像ＴＨに対応する指定Ｘ線画像ＤＧを即座に取得することができる。この結果、指定Ｘ線画像ＤＧは、サムネイル画像ＴＨよりも拡大され、かつ、採取位置Ｃが数字により示されているので、医師などは必要とする採取位置の情報をより詳細に取得することができる。
【００９０】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９１】
たとえば、上記実施形態では、採取位置表示画面Ｍに検査情報Ｅ、解析情報ＡＮ、サムネイル画像ＴＨおよび指定Ｘ線画像ＤＧのすべてが表示されている例を示したが、本発明はこれに限られない。本発明では、図７に示す第１参考例のように、サムネイル画像ＴＨを表示させずに、検査情報Ｅ、解析情報ＡＮおよび指定Ｘ線画像ＤＧだけを表示させてもよい。この場合、制御部６１は、第１〜第６検体試料７１〜７６のいずれかが医師などにより選択されたことに基づいて、対応する指定Ｘ線画像ＤＧ（選択された検体試料の採取位置Ｃが含まれる指定Ｘ線画像ＤＧ）に切り替えて表示部６２に表示させることが可能である。また、図８に示す第２参考例のように、指定Ｘ線画像ＤＧを表示させずに、検査情報Ｅ、解析情報ＡＮおよびサムネイル画像ＴＨだけを表示させてもよい。また、本発明では、図９に示す第３参考例のように、指定Ｘ線画像ＤＧ上に検査情報Ｅおよび解析情報ＡＮを表示する態様でもよい。
【００９２】
なお、採取位置表示画面Ｍに表示する内容は、ワークステーション４においてユーザーにより適宜決定されてもよいし、診断用情報処理装置６においてユーザーにより適宜決定されてもよい。
【００９３】
また、上記実施形態では、採取位置表示画面Ｍにおいて、第１表示領域Ｆ１は左上に配置され、第２表示領域Ｆ２は右上に配置され、第３表示領域Ｆ３は下部に配置されている例を示したが、本発明はこれに限られない。たとえば、第１表示領域を下部に示し、第２表示領域を左上に示し、第３表示領域を右上に示すような態様であってもよいし、他の態様であってもよい。
【００９４】
また、上記実施形態では、採取位置表示画面Ｍにおいて、解析情報ＡＮ、指定Ｘ線画像ＤＧおよびサムネイル画像ＴＨのそれぞれの採取位置Ｃに共通の数字が表示されている例を示したが、本発明はこれに限られない。本発明では、解析情報、指定Ｘ線画像およびサムネイル画像のそれぞれの採取位置に共通の記号が表示されていてもよい。
【００９５】
また、上記実施形態では、第１〜第６検体試料７１〜７６の採取位置Ｃのそれぞれを採取位置表示画面Ｍに表示する例を示したが、本発明はこれに限られない。本発明では、第１〜第６検体試料の採取位置の数以上の複数の採取位置を採取位置表示画面に表示してもよいし、第１〜第６検体試料の採取位置の数未満の複数の採取位置を採取位置表示画面Ｍに表示してもよい。
【００９６】
また、上記実施形態では、採取位置Ｃは、血液の採取位置Ｃの例を示したが、本発明はこれに限られない。本発明では、採取位置は、組織片の採取などの採取位置でもよい。
【００９７】
また、上記実施形態では、検体試料は検体容器Ｂに別途収容された後、検体分析装置３に移送される例を示したが、本発明はこれに限られない。本発明は、検体情報は検体分析装置に直接移送されてもよい。
【００９８】
また、上記実施形態では、複数のサムネイル画像ＴＨは、５枚第２表示領域Ｆ２に表示されているが、本発明はこれに限られない。本発明では、複数のサムネイル画像は、２〜４、または、６枚以上であってもよい。
【００９９】
また、上記実施形態では、説明の便宜上、Ｘ線撮影装置２、検体分析装置３およびワークステーション４の制御処理を、処理フローに沿って順番に処理を行うフロー駆動型のフローチャートを用いて説明した例について示したが、本発明はこれに限られない。本発明では、Ｘ線撮影装置、検体分析装置およびワークステーションの制御処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１００】
１  診断画像システム
２  Ｘ線撮影装置（放射線撮影装置）
３  検体分析装置
４  ワークステーション（表示画面生成装置）
５  データベースサーバ（サーバ）
６  診断用情報処理装置
６２  表示部
ＡＮ  解析情報（試料データ）
Ｃ  採取位置
ＤＧ  指定Ｘ線画像（指定診断画像）
Ｇ  Ｘ線画像
Ｍ  採取位置表示画面
Ｎ    ネットワーク
ＲＡ  分析結果
Ｔ  被検体
ＴＨ  サムネイル画像
【図１】
2019063409.tif 000003
【図２】
2019063409.tif 000004
【図３】
2019063409.tif 000005
【図４】
2019063409.tif 000006
【図５】
2019063409.tif 000007
【図６】
2019063409.tif 000008
【図７】
2019063409.tif 000009
【図８】
2019063409.tif 000010
【図９】
2019063409.tif 000011